(57)【要約】【課題】  浴槽周囲温度の検出センサや水温検出センサが故障した場合の応急処置的な湯張り制御であっても、メモリに登録されている情報を用いて、より精度良く行うことができるようにし、またコスト低減と小型化も可能にする。【解決手段】  この発明の湯張り制御装置１は、各種外部情報が正常か否かを判別する外部情報判別手段３と、その外部情報を用いて湯張り制御を行う湯張り制御手段６と、メンテナンス連絡先の電話番号情報、カレンダー情報、および複数のパラメータを記憶する記憶手段４と、外部情報が異常のとき、電話番号情報およびカレンダー情報に基づいて複数のパラメータから最適のパラメータを選択するパラメータ選択手段５と、を備え、湯張り制御手段６は、外部情報が異常のときパラメータ選択手段５が選択したパラメータを用いて湯張り制御を行う、ことを特徴としている。【選択図】  図１
2005061696.tif 000002
【特許請求の範囲】
【請求項１】
浴槽の湯を設定湯量および設定湯温に制御する湯張り制御装置において、
湯張り制御に必要な各種外部情報が正常か否かを判別する外部情報判別手段と、
上記外部情報が正常のときその外部情報を用いて湯張り制御を行う湯張り制御手段と、
当該装置のメンテナンス連絡先の電話番号情報、カレンダー情報、および上記湯張り制御に用いる複数のパラメータを記憶する記憶手段と、
上記外部情報が異常のとき、上記電話番号情報およびカレンダー情報に基づいて複数のパラメータから最適のパラメータを選択するパラメータ選択手段と、を備え、
上記湯張り制御手段は、外部情報が異常のときパラメータ選択手段が選択したパラメータを用いて湯張り制御を行う、
ことを特徴とする湯張り制御装置。
【請求項２】
上記外部情報は少なくとも給水温度情報、装置周辺の外気温度情報の何れかである、請求項１に記載の湯張り制御装置。
【請求項３】
上記電話番号情報およびカレンダー情報は、装置設置時にリモコンを用いて記憶手段に設定される、請求項１または２に記載の湯張り制御装置。
【発明の詳細な説明】
【技術分野】
【０００１】
本発明は、浴槽の湯を設定湯量および設定湯温に制御する湯張り制御装置に関するものである。
【背景技術】
【０００２】
湯張り制御装置は、浴槽の周囲温度や浴槽に供給される水の温度等を用いて湯張り制御を行っている。また、湯張り制御装置には、浴槽が設置された地域が寒冷地であるかそうでないかを表すためのディップスイッチが設けられ、浴槽の設置時にその何れかに設定される。そして、装置周囲温度の検出センサや水温検出センサが故障した場合、そのままでは湯張り制御を実施できないが、その場合に制御を停止するのではなく、応急処置的に、このディップスイッチの設定に基づいて、湯張り制御を行う。すなわち、ディップスイッチの設定が寒冷地であれば、周囲温度や水温が低いため設定温度との差が大きいと推定し、ガスの燃焼熱量が多くなるような制御を行う。
【０００３】
しかし、上記のように、ディップスイッチでの設定を使用した場合、ディップスイッチからは寒冷地かそうでないかだけの情報しか得られない。寒冷地といっても多様性があるし、季節によっても夏と冬では周囲温度や水温は変動するが、そのようなデータはディップスイッチからは得ることができない。このため、ディップスイッチの設定に基づく湯張り制御は、応急処置とはいえ、きわめて大まかな制御になっていた。
【０００４】
また、ディップスイッチを設けるためにコストが高くなっていた。
【０００５】
一方、湯張り制御装置は、設置した月日、時刻がメモリに登録されて、カレンダー機能を発揮するようになっている。また設置時に最寄りのサービスセンタの電話番号をメモリに登録し、故障発生時にその電話番号を画面に表示してサービスセンタに連絡が取れるようになっている。
【特許文献１】特開２０００−３１４５５４号公報
【発明の開示】
【発明が解決しようとする課題】
【０００６】
この発明は上記に鑑み提案されたもので、装置周囲温度の検出センサや水温検出センサが故障した場合の応急処置的な湯張り制御であっても、メモリに登録されている情報を用いて、より精度良く行うことができ、またコスト低減も可能な湯張り制御装置を提供することを目的とする。
【課題を解決するための手段】
【０００７】
上記目的を達成するために、請求項１に記載の発明は、浴槽の湯を設定湯量および設定湯温に制御する湯張り制御装置において、湯張り制御に必要な各種外部情報が正常か否かを判別する外部情報判別手段と、上記外部情報が正常のときその外部情報を用いて湯張り制御を行う湯張り制御手段と、当該装置のメンテナンス連絡先の電話番号情報、カレンダー情報、および上記湯張り制御に用いる複数のパラメータを記憶する記憶手段と、上記外部情報が異常のとき、上記電話番号情報およびカレンダー情報に基づいて複数のパラメータから最適のパラメータを選択するパラメータ選択手段と、を備え、上記湯張り制御手段は、外部情報が異常のときパラメータ選択手段が選択したパラメータを用いて湯張り制御を行う、ことを特徴としている。
【０００８】
また、請求項２に記載の発明は、上記した請求項１に記載の発明の構成に加えて、上記外部情報は少なくとも給水温度情報、装置周辺の外気温度情報の何れかである、ことを特徴としている。
【０００９】
また、請求項３に記載の発明は、上記した請求項１または２に記載の発明の構成に加えて、上記電話番号情報およびカレンダー情報は、装置設置時にリモコンを用いて記憶手段に設定される、ことを特徴としている。
【発明の効果】
【００１０】
この発明の湯張り制御装置では、メモリに登録されている電話番号情報およびカレンダー情報に基づいて選択した最適のパラメータを用いて湯張り制御を行うので、応急処置的な制御であってもその精度を向上することができる。
【００１１】
また、ディップスイッチを設ける必要がないので、コスト低減が可能となる。
【発明を実施するための最良の形態】
【００１２】
以下にこの発明の実施の形態を図面に基づいて詳細に説明する。
【００１３】
図１はこの発明の湯張り制御装置の全体構成を示す図である。この発明の湯張り制御装置１は、浴槽８の湯を設定湯量および設定湯温に制御する装置であり、図に示すように、外部情報判別手段３と、記憶手段４と、湯張り制御手段６と、パラメータ選択手段５とを備えている。湯張り制御装置１は、ＣＰＵ、ＲＯＭ、ＲＡＭからなるマイクロコンピュータを中心に構成され、外部情報判別手段３、湯張り制御手段６およびパラメータ選択手段５は、ＣＰＵがこの発明に係るプログラムに従って実行するソフトウェアの機能を含めて構成されている。
【００１４】
外部情報判別手段３は、湯張り制御に必要な各種外部情報が正常か否かを判別する。各種外部情報は外部情報検出センサで検出される情報であり、例えば給水温度センサが検出した湯張り制御装置１に供給される水の温度であり、外気温度センサが検出した湯張り制御装置１の周囲の外気温度であある。これらの外部情報は外部情報検出センサで検出された後、湯張り制御装置１に出力される。
【００１５】
湯張り制御手段６は、外部情報検出手段３での判別結果が正常であればその各種外部情報を用いて湯張り制御を行い、その指令信号を各種制御機器７、例えばガス流量制御弁、水量制御弁、燃焼用の空気を送り込むファンに出力し、浴槽８の湯を設定湯量および設定湯温に制御する。
【００１６】
一方、記憶手段４には、電話番号と、カレンダー情報と、複数のパラメータからなるパラメータ群とが記憶されている。電話番号は、メンテナンス時の連絡先としての最寄りのサービスセンタの電話番号であり、湯張り制御装置１の施工時に施工者がリモートコントローラ（リモコン）９を操作して入力する。
【００１７】
また、施工者がリモコン９を操作して、現在の年月日、現在時刻を入力することで、予め登録されていたカレンダー情報が正確に機能するようになる。
【００１８】
また、パラメータ群は、湯張り設定温度の補正値や、地域毎またその地域の年間の時期毎の平均給水温度や平均外気温度から構成されている。
【００１９】
パラメータ選択手段５は、外部情報判別手段３が給水温度センサや外気温度センサ等の外部情報検出センサが異常であると判別したときに動作し、先ずメンテナンス連絡先として登録されている電話番号の市外局番から、その湯張り制御装置１が設置されている地域を特定し、さらにカレンダー情報から現在の年間での時期を特定し、パラメータ群からその地域および時期の平均給水温度、平均外気温度を最適なパラメータとして選択し決定する。
【００２０】
そして、湯張り制御手段６は、外部情報判別手段３から外部情報検出センサが異常であるとの判別結果を入手したときは、パラメータ選択手段５が選択したパラメータ（その地域および時期の平均給水温度、平均外気温度）を読み取り、そのパラメータおよび他の正常な外部情報に基づいて湯張り制御を行い、浴槽８の湯を設定湯量および設定湯温に制御する。
【００２１】
このように、この発明では、メモリに登録されている電話番号情報およびカレンダー情報に基づいて選択した最適のパラメータを用いて湯張り制御を行うので、応急処置的な制御であってもその精度を向上することができる。
【００２２】
また、ディップスイッチを設ける必要がないので、コスト低減が可能となる。
【００２３】
なお、上記の実施形態では、湯張り制御装置１をガスを用いて湯を沸かすタイプのものとして説明したが、他のタイプ、例えば石油や電気で湯を沸かすタイプのものであっても、本発明を同様に適用することができる。
【図面の簡単な説明】
【００２４】
【図１】この発明の湯張り制御装置の全体構成を示す図である。
【符号の説明】
【００２５】
１    湯張り制御装置
２    外部情報検出センサ
３    外部情報判別手段
４    記憶手段
５    パラメータ選択手段
６    湯張り制御手段
７    各種制御機器
８    浴槽
９    リモコン
【図１】
2005061696.tif 000003